(57)【要約】      （修正有）【課題】表示物の表示をより適切に変更する。【解決手段】表示制御装置は、ディスプレイの画面サイズに応じて表示領域２１１ＭＬ、ＭＭ、ＭＳを設定する表示領域設定部と、表示領域に設けた配置領域３０１ａ、３０１ｂに配置されている少なくとも１つ以上の表示物３０２１ａ〜３０２３ｂの表示を制御する表示制御部と、同一の配置領域に設けられた表示物どうしの相対的な優先度を設定する優先度設定部と、を備える。表示制御部は、ディスプレイの画面サイズに応じて設定された表示領域に対応して配置領域のサイズを設定し、表示物に設定された優先度に基づいて表示物の表示を制御する。【選択図】図１５
2020173685.tif 000002
【特許請求の範囲】
【請求項１】
ディスプレイの画面サイズに応じて表示領域を設定する表示領域設定部と、
前記表示領域に設けた配置領域に配置されている少なくとも１つ以上の表示物の表示を制御する表示制御部と、
同一の前記配置領域に設けられた前記表示物どうしの相対的な優先度を設定する優先度設定部と、
を備え、
前記表示制御部は、前記ディスプレイの画面サイズに応じて設定された前記表示領域に対応して前記配置領域のサイズを設定し、前記表示物に設定された前記優先度に基づいて前記表示物の表示を制御する
ことを特徴とする表示制御装置。
【請求項２】
請求項１に記載の表示制御装置であって、
前記表示制御部は、前記ディスプレイの画面サイズの変更に応じて変更された前記表示領域に対応して前記配置領域のサイズを縮小した結果、前記表示物どうしの間隔が所定の閾値未満となった場合、前記表示物に設定された前記優先度が低い方から順に不可視とする
ことを特徴とする表示制御装置。
【請求項３】
請求項１に記載の表示制御装置であって、
前記表示制御部は、前記ディスプレイの画面サイズの変更に応じて変更された前記表示領域に対応して前記配置領域のサイズを縮小した結果、前記表示物どうしの間隔が所定の閾値未満となった場合、前記表示物に設定された前記優先度が低い方から順に前記表示物の幅を短縮する
ことを特徴とする表示制御装置。
【請求項４】
請求項１に記載の表示制御装置であって、
前記優先度設定部は、前記同一の前記配置領域に設けられた複数の前記表示物に対して同一の前記優先度を設定する
ことを特徴とする表示制御装置。
【請求項５】
請求項４に記載の表示制御装置であって、
前記表示制御部は、前記ディスプレイの画面サイズの変更に応じて変更された前記表示領域に対応して前記配置領域のサイズを縮小した結果、前記表示物どうしの間隔が所定の閾値未満となった場合、所定の属性情報が設定されている前記表示物の幅を縮小する
ことを特徴とする表示制御装置。
【請求項６】
表示制御装置による表示制御方法であって、
ディスプレイの画面サイズに応じて表示領域を設定する表示領域設定ステップと、
前記表示領域に設けた配置領域に配置されている少なくとも１つ以上の表示物の表示を制御する表示制御ステップと、
同一の前記配置領域に設けられた前記表示物どうしの相対的な優先度を設定する優先度設定ステップと、
を備え、
前記表示制御ステップは、前記ディスプレイの画面サイズに応じて設定された前記表示領域に対応して前記配置領域のサイズを設定し、前記表示物に設定された前記優先度に基づいて前記表示物の表示を制御する
ことを特徴とする表示制御方法。
【請求項７】
ディスプレイの表示領域に設けた配置領域に配置されている少なくとも１つ以上の表示物の表示を制御する表示制御部と、
環境及びユーザの少なくとも一方の状況に応じて前記表示物のサイズを決定する状況判定部と、
同一の前記配置領域に設けられた前記表示物どうしの相対的な優先度を設定する優先度設定部と、
を備え、
前記表示制御部は、前記状況に応じて前記表示物のサイズが変更された場合、前記表示物に設定された前記優先度に基づいて前記表示物の表示を制御する
ことを特徴とする表示制御装置。
【請求項８】
請求項７に記載の表示制御装置であって、
前記表示制御部は、前記表示物のサイズを拡大した結果、前記表示物どうしの少なくとも一部分が重複する場合、前記表示物に設定された前記優先度が低い方から順に不可視とする
ことを特徴とする表示制御装置。
【請求項９】
請求項７に記載の表示制御装置であって、
前記表示制御部は、前記表示物のサイズを拡大した結果、前記表示物どうしの間隔が所定の閾値未満となった場合、前記表示物に設定された前記優先度が低い方から順に前記表示物の幅を短縮する
ことを特徴とする表示制御装置。
【請求項１０】
請求項７に記載の表示制御装置であって、
前記優先度設定部は、前記同一の前記配置領域に設けられた複数の前記表示物に対して同一の前記優先度を設定する
ことを特徴とする表示制御装置。
【請求項１１】
請求項１０に記載の表示制御装置であって、
前記表示制御部は、前記表示物のサイズを拡大した結果、前記表示物どうしの間隔が所定の閾値未満となった場合、所定の属性情報が設定されている前記表示物の幅を縮小する
ことを特徴とする表示制御装置。
【請求項１２】
請求項７に記載の表示制御装置であって、
前記表示制御部は、画角変更方式、及びカメラ距離変更方式の少なくとも一方を用いて、サイズが変更された前記表示物の表示を制御する
ことを特徴とする表示制御装置。
【請求項１３】
表示制御装置による表示制御方法であって、
ディスプレイの表示領域に設けた配置領域に配置されている少なくとも１つ以上の表示物の表示を制御する表示制御ステップと、
環境及びユーザの少なくとも一方の状況に応じて前記表示物のサイズを決定する状況判定ステップと、
同一の前記配置領域に設けられた前記表示物どうしの相対的な優先度を設定する優先度設定ステップと、
を含み、
前記表示制御ステップは、前記状況に応じて前記表示物のサイズが変更された場合、前記表示物に設定された前記優先度に基づいて前記表示物の表示を制御する
ことを特徴とする表示制御方法。
【発明の詳細な説明】
【技術分野】
【０００１】
本発明は、表示制御装置、及び表示制御方法に関する。
【背景技術】
【０００２】
ディスプレイにおける情報表示に関する発明として、例えば、特許文献１には、表示領域に表示を行う表示部と、表示領域に対する操作を検出する操作検出部と、表示部を制御する表示制御部とを備える電子機器が開示されている。そして、同文献には「表示制御部は、表示領域に含まれる第１表示領域を複数の分割領域に分割し、当該複数の分割領域のそれぞれの表示を独立して制御する分割表示モードを有し、分割表示モードにおいて、複数の分割領域のそれぞれに対する設定を可能とするように設定できる一つの操作対象画像を表示部に表示させる。」と記載されている。
【先行技術文献】
【特許文献】
【０００３】
【特許文献１】特開２０１５−８７８６１号公報
【発明の概要】
【発明が解決しようとする課題】
【０００４】
特許文献１に記載されているように、従来、表示領域を複数の分割領域に分割し、各分割領域の表示を独立して制御することは可能である。具体的には、分割領域のサイズが変更された場合、分割領域に表示されているアイコン等の表示物を単純に縮小または拡大したり、段階的にレイアウトを変更したり、部分的にトリミングしたり、非表示としたりすることはできる。ただし、分割領域のサイズが変更された場合における上述したような表示物の表示変更は、分割領域のサイズの動的な変化に対応しきれておらず、表示物の最適な表示が提供されているとは言い難い。
【０００５】
また、表示物が、タッチパネルが積層されているディスプレイに表示された操作ボタン等のＨＭＩ(Human Machine Interface)である場合、視認性だけでなく、操作性も損なってはならないので、分割領域のサイズだけでなく、環境やユーザの状況にも応じて表示物の表示方法を変更できることが望ましい。
【０００６】
本発明は、このような状況に鑑みてなされたものであり、表示物の表示をより適切に変更できるようにすることを目的とする。
【課題を解決するための手段】
【０００７】
本願は、上記課題の少なくとも一部を解決する手段を複数含んでいるが、その例を挙げるならば、以下のとおりである。
【０００８】
上記課題を解決すべく、本発明の一態様に係る表示制御装置は、ディスプレイの画面サイズに応じて表示領域を設定する表示領域設定部と、前記表示領域に設けた配置領域に配置されている少なくとも１つ以上の表示物の表示を制御する表示制御部と、前記同一の前記配置領域に設けられた前記表示物どうしの相対的な優先度を設定する優先度設定部と、を備え、前記表示制御部は、前記ディスプレイの画面サイズの変更に応じて変更された前記表示領域に対応して前記配置領域のサイズを変更し、前記表示物に設定された前記優先度に基づいて前記表示物の表示を制御することを特徴とする。
【発明の効果】
【０００９】
本発明の一態様によれば、表示物の表示をより適切に変更することが可能となる。
【００１０】
上記した以外の課題、構成及び効果は、以下の実施形態の説明により明らかにされる。
【図面の簡単な説明】
【００１１】
【図１】図1は、本発明の一実施形態に係る車載装置の構成例を示すブロック図である。
【図２】図２は、車載装置の機能ブロックの一例を示す図である。
【図３】図３は、第１ディスプレイの表示画面を３分割して設けた表示領域の例を示す図である。
【図４】図４は、表示領域に設定されている配置領域の例を示す図である。
【図５】図５は、表示物の属性情報（元詰め、中詰め、または先詰め）を説明するための図である。
【図６】図６は、表示物の属性情報（上揃え、中揃え、または下揃え）を説明するための図である。
【図７】図７は、表示物の属性情報（優先度、及び可視または不可視）を説明するための図である。
【図８】図８は、表示物の属性情報（領域依存拡大）を説明するための図である。
【図９】図９は、表示物の属性情報（領域依存縮小）を説明するための図である。
【図１０】図１０は、表示物の属性情報（余白延長）を説明するための図である。
【図１１】図１１は、表示物の表示変更の要因となる状況を説明するための図である。
【図１２】図１２は、状況に応じた表示物の表示変更の例を示す図である。
【図１３】図１３は、状況に応じた表示物の表示変更の他の例を示す図である。
【図１４】図１４（Ａ）及び（Ｂ）は、スケーリングの方法を説明するための図であり、図１０（Ａ）は画角変更方式、図１０（Ｂ）はカメラ距離変更方式を示す図である。
【図１５】図１５は、画面サイズが異なる第１ディスプレイ上の最大表示領域における表示物の表示例を示す図である。
【図１６】図１６は、画面サイズが異なる第１ディスプレイ上の最大表示領域における表示物の他の表示例を示す図である。
【図１７】図１７は、車載装置１０による表示制御処理の一例を説明するフローチャートである。
【図１８】図１８は、状況の変化に応じた配置領域の変形前の状態を示す図である。
【図１９】図１９は、状況の変化に応じた配置領域の変形後の状態を示す図である。
【図２０】図２０は、状況の変化に応じた配置領域の変形後の状態を示す図である。
【図２１】図２１は、状況の変化に応じた配置領域の変形後の状態を示す図である。
【図２２】図２２は、状況の変化に応じた配置領域の変形後の状態を示す図である。
【発明を実施するための形態】
【００１２】
以下、本発明に係る一実施形態を図面に基づいて説明する。なお、実施形態を説明するための全図において、同一の部材には原則として同一の符号を付し、その繰り返しの説明は適宜省略する。また、以下の実施形態において、その構成要素（要素ステップ等も含む）は、特に明示した場合及び原理的に明らかに必須であると考えられる場合等を除き、必ずしも必須のものではないことは言うまでもない。また、「Ａからなる」、「Ａよりなる」、「Ａを有する」、「Ａを含む」と言うときは、特にその要素のみである旨明示した場合等を除き、それ以外の要素を排除するものでないことは言うまでもない。同様に、以下の実施形態において、構成要素等の形状、位置関係等に言及するときは、特に明示した場合及び原理的に明らかにそうでないと考えられる場合等を除き、実質的にその形状等に近似または類似するもの等を含むものとする。
【００１３】
＜本発明の一実施形態に係る車載装置１０の構成例＞
以下、本発明の一実施形態に係る車載装置１０について説明する。車載装置１０は、本発明の表示制御装置に相当する。
【００１４】
図１は、本発明の一実施形態に係る車載装置１０の構成例を示している。該車載装置１０は、例えば、ナビゲーション機能を備えた車載ナビゲーション装置によって実現可能である。そのため、車載装置１０は、例えば、前面に第１ディスプレイ２１を備える箱型の装置であり、車内のコンソールパネルに収容される。また、車載装置１０は、コンソールパネルに取り付けるための取り付け具（ブラケット）を備えており、取り付け具を介して、車内のコンソールパネルの上等に取り付けられるものであってもよい。
【００１５】
ここで、ナビゲーション機能とは、地図情報の表示、出発地（または現在地）から目的地までの推奨経路の探索及び誘導、交通情報の表示といった通常のナビゲーション装置が備える機能である。なお、車載装置１０は、専用のナビゲーション装置に限定されるものではなく、例えば、スマートフォン、タブレット端末装置及びＰＤＡ(Personal Data Assistance)等であってもよい。この場合、ナビゲーション機能は、これらの装置にインストールされたアプリケーションまたはこれらの装置が接続可能なサーバ装置によって提供される。
【００１６】
車載装置１０は、ナビゲーション機能に関するナビゲーション画面の他、エアコン（エアーコンディショナ）の温度、風向、風量等を設定するためのエアコン画面、オーディオの選曲、音量等を設定するためのオーディオ画面、ラジオの選局等を行うためのラジオ画面、無線接続されたスマートフォンによって実行されるアプリケーションの画面（以下、アプリ画面と称する）、電話の発着信を行うための電話画面、車に関する各種の情報を表示したり、設定を行ったりするための車情報画面等を表示することができる。
【００１７】
車載装置１０は、演算処理装置１１、第１ディスプレイ２１、第２ディスプレイ２２、記憶装置２３、音声入出力装置２４、入力装置２５、及びＲＯＭ(Read Only Memory)装置２６を有する。
【００１８】
さらに、車載装置１０は、車速センサ２７、ジャイロセンサ２８、衛星測位装置２９、ＦＭ多重放送受信装置３０、及びビーコン受信装置３１を有する。
【００１９】
またさらに、車載装置１０は、外部の電子機器（例えば、スマートホン）と通信を行うためのＩ／Ｆ、ＣＡＮ(Controller Area Network)等の車内のネットワークと通信を行うためのＩ／Ｆ、ＥＣＵ(Electronic Control Unit)やＡＤＡＳ(Advanced driver Assistance systems)等の車内の他の装置と通信を行うためのＩ／Ｆ、運転者の生体情報を検出するバイタルセンサと通信を行うためのＩ／Ｆ等、複数の通信Ｉ／Ｆ（何れも不図示）を有する。
【００２０】
演算処理装置１１は、車載装置１０の様々な処理を行う中心的なユニットである。演算処理装置１１は、ナビゲーション機能として、例えば、車速センサ２７等の各種センサ及び衛星測位装置２９から出力された情報を用いて現在地を検出する。また、演算処理装置１１は、得られた現在地情報に基づいて、表示に必要な地図情報を記憶装置２３やＲＯＭ装置２６から読み出す。また、演算処理装置１１は、読み出した地図情報をグラフィックス展開し、そこに現在地を示すマークを重ねて第１ディスプレイ２１に表示させる映像信号を生成、出力する。また、演算処理装置１１は、記憶装置２３あるいはＲＯＭ装置２６に記憶されている地図情報等を用いて、ユーザ（運転者や同乗者）から指示された出発地と目的地とを結ぶ推奨経路を算出する。また、演算処理装置１１は、スピーカ２４２や第１ディスプレイ２１に所定の信号を出力して経路の誘導を行う。
【００２１】
演算処理装置１１は、第１ディスプレイ２１及び第２ディスプレイ２２から、それぞれのハードウェア情報（画面サイズ、アスペクト比、解像度等）を取得する。また、演算処理装置１１は、第１ディスプレイ２１の表示画面に複数の表示領域を設定し、各表示領域に各種の画面（ナビゲーション画面、エアコン画面、オーディオ画面、アプリ画面、電話画面、車情報画面等）を割り当てて表示する。さらに、演算処理装置１１は、ユーザからの操作に応じて、表示領域のサイズを変更する。またさらに、演算処理装置１１は、表示領域毎に独立して所定の表示物（アイコン、サムネイル画像、操作ボタン等のＨＭＩ、情報表示ウィンドウ等）を所定の表示形態で表示する。さらに、演算処理装置１１は、第２ディスプレイ２２に所定の表示物（スピードメータ、タコメータ、情報ウィンドウ）を所定の形状で表示する。
【００２２】
このような演算処理装置１１は、数値演算及び各デバイスを制御する等様々な処理を実行するＣＰＵ(Central Processing Unit)１１１、記憶装置２３またはＲＯＭ１１３等のメモリ装置から読み出した地図情報や演算データ等を一時的に格納するＲＡＭ(Random Access Memory)１１２、ＣＰＵ１１１が実現するブートプログラム等を格納するＲＯＭ１１３、演算処理装置１１に各種ハードウェアを接続するためのＩ／Ｆ(Interface)１１４、並びにこれらを相互に接続するバス１１５を有している。
【００２３】
第１ディスプレイ２１は、例えば、車内前面に設けられたコンソールパネルの中央に設置される。第１ディスプレイ２１は、グラフィックス情報を表示するユニットである。第１ディスプレイ２１は、例えば、液晶ディスプレイや有機ＥＬディスプレイ等で構成される。なお、後述するが、第１ディスプレイ２１には、透明なタッチパネル２５１が積層されている。したがって、ユーザは第１ディスプレイ２１（に積層されたタッチパネル２５１）に対してタッチ操作を行うことができる。ただし、第１ディスプレイ２１に対する操作は、ダイヤルスイッチ２５２を用いて行うこともできる。
【００２４】
第２ディスプレイ２２は、例えば、運転席正面に設けられたインストルメントパネルに設置される。例えば、米国仕様車等のようにステアリングホイールが左側に設置されている車両の場合、ユーザから見て、第２ディスプレイ２２は、コンソールパネルの中央に設置される第１ディスプレイ２１の左側に設定される。
【００２５】
第２ディスプレイ２２は、例えば、車両の速度を表すスピードメータやエンジンの回転数を表すタコメータ等の画像を表示するディスプレイを流用してもよいし、車載装置１０のために専用の第２ディスプレイ２２を設けてもよい。第２ディスプレイ２２は、グラフィックス情報を表示するユニットである。第２ディスプレイ２２は、例えば、液晶ディスプレイや有機ＥＬディスプレイ等で構成される。
【００２６】
記憶装置２３は、ＨＤＤ(Hard Disk Drive)や不揮発性メモリカード等の情報を読み書きが可能な記憶媒体から成る。記憶装置２３には、例えば、演算処理装置１１によって用いられる様々な情報が格納されている。
【００２７】
音声入出力装置２４は、音声入力装置としてのマイクロフォン２４１、及び音声出力装置としてのスピーカ２４２を有する。マイクロフォン２４１は、運転者や同乗者が発した声（ユーザ発話）等、車載装置１０の外部の音声を集音する。また、スピーカ２４２は、演算処理装置１１で生成された運転者等に対する経路案内等の音声を出力する。
【００２８】
入力装置２５は、ユーザからの指示入力を受け付ける装置である。入力装置２５は、タッチパネル２５１、ダイヤルスイッチ２５２、その他のハードスイッチであるスクロールキー等（不図示）から成る。入力装置２５は、各キーや各スイッチの操作に応じた情報を演算処理装置１１等の他の装置に出力する。
【００２９】
タッチパネル２５１は、透明な材質から成り、第１ディスプレイ２１の表示画面に積層される。タッチパネル２５１は、ユーザの指やタッチペンによるタッチ操作（タッチオン（接触）、ドラッグ（接触した状態での移動）、及びタッチオフ（接触解除）を検知する。よって、ユーザは、あたかも第１ディスプレイ２１の表示画面を視認しながら、表示画面（実際には、タッチパネル２５１）に触れて各種の操作を入力することができる。ユーザによるタッチ操作の位置は、例えば、タッチパネル２５１上に設定されるｘｙ座標に基づいて特定される。タッチパネル２５１は、例えば、静電容量方式による入力検出素子等から成る。
【００３０】
ＲＯＭ装置２６は、ＣＤ(Compact Disk)−ＲＯＭやＤＶＤ(Digital Versatile Disk)−ＲＯＭ等のＲＯＭ、ＩＣ(Integrated Circuit)カード等の少なくとも読み取りが可能な記憶媒体から成る。この記憶媒体には、例えば、地図情報、動画データ、音声データ等が記憶されている。
【００３１】
車速センサ２７は、車速の算出に用いる値を取得するセンサである。ジャイロセンサ２８は、光ファイバジャイロや振動ジャイロ等で構成され、移動体（車両）の回転による角速度を検出するセンサである。
【００３２】
衛星測位装置２９は、ＧＰＳ衛星に代表される人工衛星からの信号を受信し、移動体と人工衛星間の距離と距離の変化率とを３個以上の人工衛星に対して測定することで移動体の現在地、進行速度及び進行方位を測定することができる。これらの各装置は、車載装置１０が搭載された車両の現在地を検出するために演算処理装置１１で用いられる。
【００３３】
ＦＭ多重放送受信装置３０は、ＦＭ放送波を用いて送信されてくるＦＭ多重放送を受信する。ＦＭ多重放送には、ＶＩＣＳ(Vehicle Information and Communication System)情報の概略現況交通情報、規制情報、ＳＡ／ＰＡ（サービスエリア／パーキングエリア）情報、駐車場情報、天気情報及びＦＭ多重一般情報としての文字情報等が含まれている。
【００３４】
ビーコン受信装置３１は、ＶＩＣＳ情報等の概略現況交通情報、規制情報、ＳＡ／ＰＡ（サービスエリア／パーキングエリア）情報、駐車場情報、天気情報及び緊急警報等を受信する。ビーコン受信装置３１には、例えば、光により通信する光ビーコン、電波により通信する電波ビーコン等がある。
【００３５】
次に、図２は、車載装置１０が有する機能ブロックの構成例を示している。
【００３６】
車載装置１０は、制御部１２０、及び記憶部１３０を有する。
【００３７】
制御部１２０は、入力受付部１２１、操作検知部１２２、表示領域設定部１２３、表示制御部１２４、優先度設定部１２５、機能処理部１２６、及び状況判定部１２７の各機能ブロックを有する。
【００３８】
入力受付部１２１は、入力装置２５のダイヤルスイッチ２５２やその他のハードスイッチ等を介して、ユーザからの指示や情報の入力を受け付ける。例えば、入力受付部１２１は、入力装置２５を介して、出発地及び目的地の設定や推奨経路の探索指示等をユーザから受け付ける。
【００３９】
操作検知部１２２は、入力装置２５のタッチパネル２５１に対するユーザからのタッチ操作を検知する。具体的には、操作検知部１２２は、タッチパネル２５１に対するタッチオン、ドラッグ、及びタッチオフを検知する。また、操作検知部１２２は、タッチ操作されているタッチパネル２５１上のｘｙ座標を特定する。
【００４０】
また、操作検知部１２２は、所定時間（例えば、０．５秒間）内にタッチパネル２５１への複数回（例えば、２回）タッチを検知し、各々のタッチ位置を示すタッチパネル２５１上のｘｙ座標を特定することもできる。
【００４１】
また、操作検知部１２２は、これらのタッチ操作（タッチオフを含む）を検知すると、タッチ操作の種類と、そのｘｙ座標を表示領域設定部１２３及び機能処理部１２６に通知する。
【００４２】
表示領域設定部１２３は、第１ディスプレイ２１及び第２ディスプレイ２２からそれぞれのハードウェア情報（画面サイズ、アスペクト比、解像度等）を取得して記憶部１３０に格納する。なお、第１ディスプレイ２１及び第２ディスプレイ２２のハードウェア情報は、出荷段階において予め記憶部１３０に格納しておいてもよい。また、表示領域設定部１２３は、第１ディスプレイ２１の表示画面において表示領域を設定する。具体的には、表示領域設定部１２３は、操作検知部１２２からの通知に基づき、第１ディスプレイ２１の表示画面を複数に分割した表示領域の分割状態（位置及びサイズ）を設定する。なお、本実施形態では、表示画面を３分割した場合について説明するが、分割数は２または４以上であってもよい。また、表示領域設定部１２３は、表示画面を分割せず、表示画面上に１つの表示領域だけを表示するようにしてもよい。
【００４３】
表示制御部１２４は、第１ディスプレイ２１の各表示領域、及び第２ディスプレイ２２の表示領域における配置領域の設定及び表示物の表示を制御する。表示制御部１２４は、表示領域のサイズの変更に応じて配置領域のサイズや位置、属性情報等を変更する。また、表示制御部１２４は、配置領域のサイズの変更に対応し、配置領域に配置された表示物の位置や属性情報を変更する。
【００４４】
優先度設定部１２５は、表示領域に設けられた配置領域や、配置領域に配置された表示物に対して優先度を設定する。優先度設定部１２５は、配置領域や表示物に対する優先度として予め決定されている初期値を設定し、その後、ユーザからの入力に従い優先度を変更することができる。
【００４５】
また、優先度設定部１２５は、優先度を変更した場合の状況を学習し、その学習結果に基づいて動的に優先度を変更するようにしてもよい。ここで、状況とは、車載装置１０が搭載されている車両の現在地、走行速度、自動運転中であるか否か、走行中の道路種別、交通状況、気温、天気、時間帯等の車載装置１０が取得可能な運転環境情報５０１（図１１）の状態を指す。具体的には、例えば、所定の時間帯にはエアコン機能に対応する配置領域や表示物の優先度を高くするようにしてもよい。
【００４６】
なお、優先度が変更された場合、優先度に基づく配置領域や表示物の表示も動的に変更される。優先度設定部１２５は、配置領域に対して設定した優先度に基づいて配置領域情報１３３を更新し、表示物に対して設定した優先度に基づいて表示物情報１３４を更新する。
【００４７】
機能処理部１２６は、第１ディスプレイ２１の表示領域に表示されたＨＭＩとしての表示物に対するユーザからのタッチ操作に応じて、所定の機能を実現するための処理を行う。ここでいう機能とは、例えば、ナビゲーション機能、エアコン設定、音楽の再生、ラジオの選局、電話の発着信等である。
【００４８】
状況判定部１２７は、車両に搭載されている各種センサやＥＣＵ，ＡＤＡＳ等から取得できる運転環境情報５０１（図１１）、及びユーザから入力されたり、バイタルセンサよって検出されたりする個人適応情報５０２（図１１）に基づき、車両や運転者（ユーザ）の状況に応じて表示物のスケーリングを行うか否かを判定する。さらに、状況判定部１２７は、状況に応じて表示物のスケーリングを行う場合、表示物のサイズを決定する。
【００４９】
記憶部１３０は、所定情報を格納する。記憶部１３０は、記憶装置２３、ＲＯＭ装置２６、及びＲＯＭ１１３によって実現される。記憶部１３０には、地図情報１３１、表示領域情報１３２、配置領域情報１３３、表示物情報１３４、その他の様々な情報が格納されている。
【００５０】
地図情報１３１には、ナビゲーション機能にて用いる地形や道路等の情報が記録されている。
【００５１】
表示領域情報１３２には、第１ディスプレイ２１の表示画面に設けられた各表示領域の分割状態が記録されている。配置領域情報１３３には、第１ディスプレイ２１の各表示領域、及び第２ディスプレイ２２に設けられる配置領域の形状、サイズ、位置、及び属性情報（優先度を含む）が記録されている。表示物情報１３４には、表示領域に表示される表示物の画像データ、及び属性情報（優先度を含む）が記録されている。
【００５２】
なお、車載装置１０の機能ブロックである入力受付部１２１、操作検知部１２２、表示領域設定部、表示制御部１２４、優先度設定部１２５、機能処理部１２６、及び状況判定部１２７については、ＣＰＵ１１１が所定のプログラムを実行することによって実現される。このプログラムは、車載装置１０のＲＯＭ１１３または記憶装置２３に格納されており、実行に際してＲＡＭ１１２上にロードされて、ＣＰＵ１１１により実行される。
【００５３】
図２に示された各機能ブロックは、本実施形態において実現される車載装置１０の機能について理解を容易にするために、主な処理内容に応じて分類したものである。したがって、各機能の分類の仕方やその名称によって、本発明が制限されることはない。また、車載装置１０の各構成は、処理内容に応じて、さらに多くの構成要素に分類することもできる。また、１つの構成要素がさらに多くの処理を実行するように分類することもできる。
【００５４】
また、各機能ブロックの全部または一部は、コンピュータに実装されるハードウェア（ＡＳＩＣといった集積回路等）により構築されてもよい。また、各機能ブロックの処理が１つのハードウェアで実行されてもよいし、複数のハードウェアで実行されてもよい。
【００５５】
＜第１ディスプレイ２１の表示画面における表示領域について＞
次に、第１ディスプレイ２１の表示画面に設定される表示領域について説明する。上述したように、車載装置１０は、表示領域設定部１２３によって、第１ディスプレイ２１の表示画面を分割し、複数（本実施形態では３）の表示領域２１１を設けることができる。
【００５６】
図３は、第１ディスプレイ２１の表示画面に設定された３つの表示領域２１１（第１表示領域２１１１、第２表示領域２１１２、及び第３表示領域２１１３）の表示例を示している。
【００５７】
各表示領域２１１には、例えば、ナビゲーション画面、エアコン画面、オーディオ画面、ラジオ画面、アプリ画面、電話画面等を割り当てることができる。また、１つの表示領域２１１に、異なる機能（例えば、エアコン、オーディオ、ラジオ、電話）に関する複数の操作受付ボタンを混在して表示させてもよい。
【００５８】
第１ディスプレイ２１の表示画面が複数の表示領域２１１に分割されている場合、表示画面にはポインタ２１２が表示される。ポインタ２１２がユーザによってタッチオンされドラッグされた場合、表示領域設定部１２３は、表示画面の各表示領域２１１のサイズを動的に変更する。そして、ユーザによってポインタ２１２がタッチオフされた場合、表示領域設定部１２３は、各表示領域２１１のサイズを確定する。
【００５９】
ただし、第１ディスプレイ２１の表示画面に設けられた各表示領域２１１の分割状態は、図３の表示例に限るものではなく、ユーザからの操作に応じて任意に変更される。
【００６０】
また、表示画面上のポインタ２１２に対するユーザの操作は、タッチパネル２５１だけでなく、ダイヤルスイッチ２５２からも受け付けることができる。
【００６１】
＜第1ディスプレイ２１の表示領域２１１、及び第２ディスプレイ２２の表示領域２２１に設けられる配置領域３０１について＞
次に、第1ディスプレイ２１の各表示領域２１１、及び第２ディスプレイ２２の表示領域２２１（図１８）に設ける配置領域３０１ａ〜３０１ｆについて説明する。以下、配置領域３０１ａ〜３０１ｆを区別する必要が無い場合、単に配置領域３０１と称する。
【００６２】
図４は、表示領域２１１に設けられた複数の配置領域３０１ａ〜３０１ｆの一例を示している。なお、図示は省略するが、第２ディスプレイ２２の表示領域２２１においても、第1ディスプレイ２１の各表示領域２１１と同様に１または複数の配置領域３０１を設けることができる。
【００６３】
配置領域３０１ａ〜３０１ｆは、表示物を配置するための領域である。なお、図面においては、表示領域２１１における配置領域３０１ａ〜３０１ｆの位置を破線によって示しているが、実際の画面上に配置領域３０１は表示されない。
【００６４】
図４の例では、表示領域２１１に、横方向に長い配置領域３０１ａ，３０１ｂ，３０１ｃ、及び縦方向に長い配置領域３０１ｄ，３０１ｅ，３０１ｆが設けられている。
【００６５】
配置領域３０１には、第１ディスプレイ２１及び第２ディスプレイ２２それぞれの表示画面に設けられているｘ，ｙ座標系から独立した、仮想的な２次元または３次元以上の座標系が設けられている。これにより、各配置領域３０１における表示物の表示を容易に変更することができる。配置領域３０１に２次元座標系が設けられている場合、配置領域３０１は面積を有することになる。配置領域３０１に３次元座標系が設けられている場合、配置領域３０１は体積を有することになる。
【００６６】
配置領域３０１は、領域の一方の端（始点）から他方の端（終点）に向かう方向性（ベクトル）を有する軸（何れも不図示）（以下、方向軸と称する）を有する。配置領域３０１の方向軸は、表示領域２１１の横方向または縦方向に平行な直線に限らず、斜め方向の直線でもあってよい。
【００６７】
配置領域３０１の形状は、例えば矩形である。ただし、同図においては、配置領域３０１の方向軸の方向を表すために、配置領域３０１を矢形の領域として図示されている。
【００６８】
以下、配置領域３０１の方向軸と平行な長さを方向軸長と称し、配置領域３０１の方向軸に直交する方向の長さを幅と称する。
【００６９】
配置領域３０１は、表示領域２１１のサイズが変更された場合、その方向軸の方向と幅を維持したまま、方向軸長と位置が変更される。ただし、その方向軸の方向を変更するようにしてもよい。また、配置領域３０１の方向軸長は、表示領域２１１のサイズの拡大に応じて延ばし続けずに、その最大値を設定するようにしてもよい。
【００７０】
配置領域３０１には、属性情報として可視または不可視を設定できる。可視に設定された配置領域３０１に配置されている表示物は画面上に表示される。反対に、不可視に設定された配置領域３０１に配置されている表示物は画面上に表示されない。
【００７１】
また、配置領域３０１には、属性情報として、同一の表示領域２１１に設けられている他の配置領域３０１に対する相対的な優先度を設定することができる。なお、本実施形態の場合、優先度は、その値が大きいほど優先順位が高いものとする。配置領域３０１の優先度は、優先度設定部１２５が予め定められている初期値に設定する。また、配置領域３０１の優先度は、ユーザからの操作に応じて変更することができる。さらに、優先度設定部１２５が、優先度が変更された状況を学習し、学習結果に応じて優先度を動的に変更するようにしてもよい。
【００７２】
また、配置領域３０１には、属性情報として、同一の表示領域２１１に設けられている他の配置領域３０１と少なくとも一部分が重複した場合において、淘汰するか否かを設定することができる。ここで、淘汰とは、優先度の低い方の配置領域３０１の属性情報を可視から不可視に変更して、属性情報が不可視とされた配置領域３０１に配置されている表示物を画面上から消去することを意味する。以下、配置領域３０１や表示物の属性情報を可視から不可視に変更して画面上から消去することを「淘汰」と称する。
【００７３】
例えば、方向軸が平行な配置領域３０１どうし（例えば、配置領域３０１ａと配置領域３０１ｂ）は属性情報として「淘汰する」に設定し、方向軸が交差する配置領域３０１どうし（例えば、配置領域３０１ａと配置領域３０１ｄ）とは「淘汰しない」に設定できる。
【００７４】
なお、配置領域３０１の形状は矩形に限られず、他の形状であってもよい。例えば、配置領域３０１の形状は、円形、円環形等としたり、線形関数を用いて定義したりしてもよい。さらに、配置領域３０１の幅をごく狭くして、実質的に配置領域３０１の形状を線として定義してもよい。
【００７５】
＜配置領域３０１に配置される表示物３０２の属性情報＞
次に、配置領域３０１に配置される表示物３０２の属性情報について説明する。同一の配置領域３０１に配置された表示物３０２どうしや、異なる配置領域３０１に配置された表示物３０２どうしは、以下に説明する属性情報に基づき、互いに接触したり、重なったりすることなく表示される。
【００７６】
図５は、配置領域３０１に配置された表示物３０２ａ〜３０２ｆの属性情報として設定可能な元詰め、中詰め、または先詰めを説明するための図である。ただし、表示物３０２ａ〜３０２ｆを個々に区別する必要が無い場合、表示物３０２と称する。
【００７７】
配置領域３０１に配置された表示物３０２ａ〜３０２ｆには、属性情報として、元詰め、中詰め、または先詰めを設定することができる。
【００７８】
図５において、表示物３０２ａ，３０２ｂには、属性情報として元詰めが設定されている。表示物３０２ａ，３０２ｂは、配置領域３０１の始点側（図中の左側）に詰めて表示される。
【００７９】
表示物３０２ｃ〜３０２ｅには、属性情報として中詰めが設定されている。表示物３０２ｃ〜３０２ｅは、配置領域３０１の中央に詰めて表示される。
【００８０】
表示物３０２ｆ，３０２ｇには、属性情報として先詰めが設定されている。表示物３０２ｆ，３０２ｇは、配置領域３０１の終点側（図中の右側）に詰めて表示される。
【００８１】
なお、元詰め、中詰め、または先詰めの属性情報が設定されている表示物３０２は、隣接する表示物３０２との間隔が均等に成るように表示される。また、同図の例では、同一の配置領域３０１に配置された複数の表示物３０２に対して異なる属性情報（元詰め、中詰め、または先詰め）が設定されているが、同一の配置領域３０１に配置された複数の表示物３０２に対し、一括して同一の属性情報（元詰め、中詰め、または先詰め）を設定できるようにしてもよい。
【００８２】
次に、図６は、配置領域３０１に配置された表示物３０２ａ〜３０２ｃに対する属性情報として設定可能な上揃え、中揃え、または下揃えを説明するための図である。ただし、表示物３０２ａ〜３０２ｃを個々に区別する必要が無い場合、表示物３０２と称する。
【００８３】
配置領域３０１に配置された表示物３０２ａ〜３０２ｃには、属性情報として、上揃え、中揃え、または下揃えを設定することができる。
【００８４】
図６において、表示物３０２ａには、属性情報として上揃えが設定されている。表示物３０２ａは、その上端が配置領域３０１の上端と一致するように表示される。
【００８５】
表示物３０２ｂには、属性情報として中揃えが設定されている。表示物３０２ｂは、その中央が配置領域３０１の幅の中央と一致するように表示される。
【００８６】
表示物３０２ｃは、属性情報として下揃えが設定されている。表示物３０２ｃは、その下端が配置領域３０１の下端と一致するように表示される。
【００８７】
なお、図６の例では、同一の配置領域３０１に配置された複数の表示物３０２に対して異なる属性情報（上揃え、中揃え、または下揃え）が設定されているが、同一の配置領域３０１に配置された複数の表示物３０２に対し、一括して同一の属性情報（上揃え、中揃え、または下揃え）を設定できるようにしてもよい。
【００８８】
次に、図７は、配置領域３０１に配置された表示物３０２１〜３０２７に対する属性情報としての優先度と、可視または不可視とを説明するための図である。ただし、表示物３０２１〜３０２７を個々に区別する必要が無い場合、表示物３０２と称する。
【００８９】
配置領域３０１に配置された複数の表示物３０２には、属性情報として、同一の配置領域３０１に配置されている他の表示物３０２に対する相対的な優先度を設定できる。なお、同一の配置領域３０１に配置されている複数の表示物３０２に同一の優先度を設定することもできる。図７において、表示物３０２に記載している数字は優先度を表す値である。以降の図面においても同様とする。表示物３０２の優先度は、その値が大きいほど、優先順位が高いものとする。また、配置領域３０１に配置された表示物３０２には、属性情報として、可視または不可視が設定される。
【００９０】
図７の例では、配置領域３０１に優先度が異なる表示物３０２１〜３０２７が配置されており、最上段に示す状態において、表示物３０２１〜３０２７の属性情報は可視に設定されている。
【００９１】
例えば、最上段に示す状態から、表示領域２１１（不図示）のサイズ変更（縮小）に応じて、該配置領域３０１の方向軸長が短縮されると、図７の２段目に示すように、７つの表示物３０２は、それぞれのサイズを維持したままで間隔を詰めて表示される。
【００９２】
さらに、図７の３段目に示すように、該配置領域３０１の方向軸長がより短縮されて７つの表示物３０２が重なることなく表示できなくなった場合、具体的には、表示物３０２どうしの間隔が所定の閾値未満となった場合、７つの表示物３０２のうち、最も優先度の低い表示物３０２１が淘汰される（属性情報が可視から不可視に変更される）。この結果、配置領域３０１には、淘汰された表示物３０２１以外の６つの表示物３０２が表示される。
【００９３】
さらに、図７の４段目に示すように、該配置領域３０１の方向軸長がより短縮されて６つの表示物３０２が重なることなく表示できなくなると、６つの表示物３０２のうち、最も優先度の低い表示物３０２２が淘汰される（属性情報が可視から不可視に変更される）。この結果、配置領域３０１には、淘汰された表示物３０２１，３０２２以外の５つの表示物３０２が表示される。
【００９４】
図７の５，６段目についても同様に、該配置領域３０１の方向軸長が短縮されると、優先度が低い順に表示物３０２２，３０２３が淘汰される。
【００９５】
反対に、表示領域２１１（不図示）のサイズ変更（拡大）に応じて、該配置領域３０１の方向軸長が延長されると、表示物３０２の表示は、図７の下段側から上段側に変化する。すなわち、淘汰されていた（属性情報が不可視に変更されていた）表示物３０２が、優先度の高いものから順に配置領域３０１に復活して表示される（属性情報が可視に変更される）。
【００９６】
なお、同一の配置領域３０１に配置されている複数の表示物３０２に対する相対的な優先度は、予め初期値が決められているが、ユーザからの操作に応じて優先度設定部１２５が変更できる。また、表示物３０２が操作受付ボタンなどのＨＭＩである場合には、優先度設定部１２５が、ユーザからの操作頻度に応じて優先度を変更したり、直前に操作されたものに対する優先度を最上位にしたりしてもよい。
【００９７】
なお、図７の例では、同一の配置領域３０１に配置された複数の表示物３０２に対し、属性情報として、異なる優先度が設定されているが、同一の配置領域３０１に配置された複数の表示物３０２に対し、同一の優先度を設定してグループ化することも可能である。
【００９８】
例えば、図７の１段目に表示されている、元詰めの３つの表示物３０２の優先度を２、中詰めの２つの表示物３０２の優先度を３、先詰めの２つの表示物３０２の優先度を１に設定してグループ化してもよい。同一の配置領域３０１に配置された複数の表示物３０２を、同一の優先度を設定してグループ化すれば、同時に表示されていなければ、意味をなさない表示物３０２のグループ（例えば、エアコンの設定温度を上げるボタンと下げるボタンの対、オーディオの音量を上げるボタンと下げるボタンの対等）を同時に淘汰したり、復活したりすることができる。
【００９９】
さらに、優先度設定部１２５が、例えば、走行中は文字列を表示する情報ウィンドウとしての表示物３０２の優先度を下げるなど、車両の状況（走行速度等）に応じて優先度を動的に変更するようにしてもよい。
【０１００】
またさらに、優先度設定部１２５が、例えば、ユーザが優先度を変更したときの状況を学習し、学習結果に応じて、ユーザが優先度を変更したときと同じ状況になった場合、優先度を動的に変更するようにしてもよい。これにより、ユーザにとっての表示物３０２の視認性と、表示物３０２がＨＭＩである場合の操作性を向上させることが可能となる。
【０１０１】
次に、図８は、配置領域３０１に配置された表示物３０２に対する属性情報としての領域依存拡大について説明するための図である。
【０１０２】
配置領域３０１に配置された表示物３０２には、属性情報として領域依存拡大を設定することができる。例えば、同図の上段に示す状態から、表示領域２１１（不図示）の拡大に応じて、該配置領域３０１の方向軸長が延長された場合、属性情報として領域依存拡大が設定された表示物３０２は、同図の下段に示すように、配置領域３０１の方向軸長の延長に比例して拡大して表示される。ただし、表示物３０２には、最大サイズを設定できるようにしてもよい。
【０１０３】
次に、図９は、配置領域３０１に配置された表示物３０２に対する属性情報としての領域依存縮小について説明するための図である。
【０１０４】
配置領域３０１に配置された表示物３０２には、属性情報として領域依存縮小を設定することができる。図９の例では、３つの表示物３０２１〜３０２３に対して優先度が設定されておらず、表示物３０２１だけに属性情報として領域依存縮小が設定されている。
【０１０５】
例えば、図９の上段に示す状態から、表示領域２１１（不図示）の縮小に応じて、該配置領域３０１の方向軸長が短縮され、３つの表示物３０２１〜３０２３の横幅を合わせた長さよりも短くなると、図９の下段に示すように、３つの表示物３０２１〜３０２３のうち、領域依存縮小が設定されている表示物３０２１の横幅が、表示物３０２２，３０２３と重ならないように短縮して表示される。これにより、配置領域３０１に配置された表示物３０２を淘汰することなく、その並び順を維持したまま表示することができる。
【０１０６】
次に、図１０は、配置領域３０１に配置された表示物３０２１〜３０２３に対する属性情報としての余白延長について説明するための図である。ただし、表示物３０２１〜３０２３を個々に区別する必要が無い場合、表示物３０２と称する。
【０１０７】
配置領域３０１に配置された表示物３０２には、属性情報として余白延長を設定することができる。
【０１０８】
図１０の例では、上段に示す優先度が異なる表示物３０２１〜３０２３のうち、表示物３０２３だけに属性情報として余白延長が設定されている。
【０１０９】
例えば、図１０の上段に示す状態から、表示領域２１１（不図示）のサイズ変更（縮小）に応じて、該配置領域３０１の方向軸長が短縮され、３つの表示物３０２１〜３０２３が重なることなく表示できなくなった場合、具体的には、表示物３０２どうしの間隔が所定の閾値未満になった場合、図１０の下段に示すように、３つの表示物３０２１〜３０２３のうち、最も優先度が低い表示物３０２１が淘汰される（属性情報が不可視とされる）。そして、表示物３０２１の淘汰によって生じた余白は、属性情報として余白延長が設定されている表示物３０２３の横幅が延長されることによって占められる。これにより、配置領域３０１に生じた余白を有効に利用することができる。
【０１１０】
反対に、例えば、図１０の下段に示す状態から、表示領域２１１（不図示）のサイズ変更（拡大）に応じて、該配置領域３０１の方向軸長が延長され、３つの表示物３０２１〜３０２３が重なることなく表示できるようになった場合、具体的には、表示物３０２どうしの間隔が所定の閾値以上になった場合、図１０の上段に示すように、配置領域３０１に表示物３０２１の表示が復活される（属性情報が可視とされる）。
【０１１１】
次に、状況に応じて表示物３０２の表示変更を行うための、属性情報としての状況スケーリングについて説明する。状況に応じた表示物３０２の表示変更とは、具体的には、例えば、車両が停止していたり、自動運転中であったりする場合には、多くの表示物３０２を同時に表示できるように縮小して表示したり、また例えば、走行速度が速かったり、ユーザが細かい操作の苦手な高齢者であったりする場合には、ＨＭＩとしての表示物３０２を拡大して表示したりすることを指す。
【０１１２】
図１１は、表示物３０２の表示変更の要因となる状況を説明するための図である。
【０１１３】
表示物３０２の表示変更の要因となる状況としては、運転環境情報５０１及び個人適応情報５０２を想定する。
【０１１４】
運転環境情報５０１は、ＡＤＡＳ状態（車両が備える各種の先進運転支援機能の有無やそれら各機能の有効・無効の設定状態を表す）、道路種別（自動車専用道、広域国道、一般道、細街路等）、運転行動（走行速度、直進走行、右左折走行、一時停止、信号停止等）、車内環境（温度、湿度、乗車人数等）、自然・社会要因（季節、天気、時間帯、交通量、周辺人口密度等）を含む。
【０１１５】
個人適応情報５０２は、個人特性（年齢、性別、運転暦）、操作能力（運転履歴及び操作履歴に基づく操作密度及び操作精度等）、及び生体情報（体温、脈拍、呼吸数、視線等）を含む。
【０１１６】
状況判定部１２７は、運転環境情報５０１及び個人適応情報５０２の少なくとも一方に基づき、表示物３０２のスケーリングを行うか否かを判定する。また、状況判定部１２７は、スケーリングを行う場合、表示物３０２のサイズを決定する。なお、表示物３０２のサイズは、状況の変化に応じて無段階に決定してもよいし、複数の段階を設けて決定してもよい。そして、表示制御部１２４が、状況判定部１２７の判定に従い、表示領域２１１における表示物３０２の表示を変更する。
【０１１７】
次に、図１２及び図１３は、状況に応じた表示物３０２の表示変更の例を示している。
【０１１８】
図１２及び図１３の例では、状況として走行速度が異なる場合の第１ディスプレイ２１上の表示領域２１１における表示物３０２の表示の変更を示しており、同図の上段は、走行速度が低速（または停止）の場合、同図の中段は、走行速度が中速の場合、同図の下段は、走行速度が高速の場合をそれぞれ示している。同図の上段、中段、及び下段に示す表示領域２１１のサイズは変更されていないものとする。なお、同図の例では、走行速度に応じ、表示物３０２のサイズを大、中、小の３段階に変更しているが、表示物３０２のサイズを、２段階、４段階以上、またはより細かく無段階に変更するようにしてもよい。
【０１１９】
図１２の場合、表示領域２１１には、配置領域３０１ａ及び配置領域３０１ｂが設けられており、配置領域３０１ａ上には優先度が異なる７つの表示物３０２１ａ〜３０２７ａが配置され、配置領域３０１ｂ上には優先度が異なる３つの表示物３０２１ｂ〜３０２３ｂが配置されている。なお、配置領域３０１ｂ上の表示物３０２２ｂには元詰め、表示物３０２３ｂには中詰め、表示物３０２１ｂには先詰めの属性情報が設定されている。さらに、表示物３０２１ａ〜３０２７ａ、及び表示物３０２１ｂ〜３０２３ｂには、属性情報としての状況スケーリングが設定されている。
【０１２０】
走行速度が低速(または停止)の場合、図１２の上段に示すように、表示領域２１１には、配置領域３０１ａ及び配置領域３０１ｂに配置されている全ての表示物３０２が小サイズで表示される。
【０１２１】
走行速度が低速から中速になった場合、図１２の中段に示すように、表示物３０２１ａ〜３０２７ａ、及び表示物３０２１ｂ〜３０２３ｂは、属性情報としての状況スケーリングが設定されているので、中サイズまで拡大される。この場合、配置領域３０１ａ上には、中サイズに拡大された７つの表示物３０２１ａ〜３０２７ａを重ねることなく表示できないので、優先度が低い方の２つの表示物３０２１ａ，３０２２ａが淘汰され、残りの５つの表示物３０２３ａ〜３０２７ａが中サイズで表示される。また、配置領域３０１ｂ上には、中サイズに拡大された３つの表示物３０２１ｂ〜３０２３ｂが表示される。
【０１２２】
走行速度が中速から高速になった場合、図１２の下段に示すように、表示物３０２１ａ〜３０２７ａ、及び表示物３０２１ｂ〜３０２３ｂは、大サイズまでさらに拡大される。この場合、配置領域３０１ａ上には、大サイズに拡大された７つの表示物３０２１ａ〜３０２７ａを重ねることなく表示できないので、優先度が低い方の４つの表示物３０２１ａ〜３０２４ａが淘汰され、大サイズに拡大された３つの表示物３０２５ａ〜３０２７が表示される。また、配置領域３０１ｂ上においても同様に、優先度が低い方の２つの表示物３０２１ｂ，３０２２ｂが淘汰され、大サイズに拡大された表示物３０２３ｂが表示される。
【０１２３】
なお、反対に、走行速度が低下した場合、各表示物３０２のサイズが縮小され、その表示が復活される。
【０１２４】
また、図１２の変形例として、優先度が低い方から順に表示物３０２を淘汰する代わりに、優先度が低い方から順に表示物３０２の横幅を所定の最小サイズまで短縮するようにしてもよい。
【０１２５】
次に、図１３の場合、表示領域２１１には、配置領域３０１ａ及び配置領域３０１ｂが設けられており、配置領域３０１ａ上には同一の優先度が設定された３つの表示物３０２１ａ〜３０２３ａが配置され、配置領域３０１ｂ上には同一の優先度が設定された３つの表示物３０２１ｂ〜３０２３ｂが配置されている。なお、表示物３０２２ａ，３０２２ｂには元詰め、表示物３０２３ａ，３０２３ｂには中詰め、表示物３０２１ａ，３０２１ｂには先詰めの属性情報が設定されている。さらに、表示物３０２１ａ〜３０２３ａ、及び表示物３０２１ｂ〜３０２３ｂには、属性情報としての状況スケーリングが設定されている。また、表示物３０２３ｂには、属性情報としての領域依存縮小が設定されている。
【０１２６】
走行速度が低速(または停止)の場合、図１３の上段に示すように、表示領域２１１には、配置領域３０１ａ及び配置領域３０１ｂに配置されている全ての表示物３０２が小サイズで表示される。
【０１２７】
走行速度が低速から中速になった場合、図１３の中段に示すように、表示物３０２１ａ〜３０２３ａ、及び表示物３０２１ｂ〜３０２３ｂは、属性情報としての状況スケーリングが設定されているので、中サイズまで拡大される。この場合においても、配置領域３０１ａ上の中サイズに拡大された３つの表示物３０２１ａ〜３０２３ａは重ならないので、配置領域３０１ａ上には中サイズに拡大された３つの表示物３０２１ａ〜３０２３ａが表示される。配置領域３０１ｂ上においても同様に、中サイズに拡大された３つの表示物３０２１ｂ〜３０２３ｂが表示される。
【０１２８】
走行速度が中速から高速になった場合、図１３の下段に示すように、表示物３０２１ａ〜３０２３ａ、及び表示物３０２１ｂ〜３０２３ｂは、大サイズまでさらに拡大される。この場合においても、配置領域３０１ａ上の大サイズに拡大された３つの表示物３０２１ａ〜３０２３ａはその位置が重ならないので、配置領域３０１ａには大サイズに拡大された３つの表示物３０２１ａ〜３０２３ａが表示される。一方、配置領域３０１ｂ上では、大サイズに拡大された３つの表示物３０２１ｂ〜３０２３ｂを重ねることなく表示できないので、属性情報としての領域依存縮小が設定されている表示物３０２３ｂは、大サイズの横幅が短縮されて表示され、領域依存縮小が設定されていない表示物３０２１ｂ，３０２２ｂは大サイズに拡大されて表示される。
【０１２９】
なお、属性情報としての状況スケーリングが設定されている表示物３０２のスケーリングのように、表示物３０２を拡大または縮小する場合は、画角変更方式またはカメラ距離変更方式の一方、または、画角変更方式及びカメラ距離変更方式の組み合わせが用いられる。
【０１３０】
次に、図１４は、表示領域２１１及び表示物３０２のスケーリングの方法を説明するための図であり、同図（Ａ）は画角変更方式、同図（Ｂ）はカメラ距離変更方式を示している。
【０１３１】
図１４（Ａ）に示す画角変更方式は、表示物３０２が表示される表示領域２１１の正面に仮想的なカメラＣを距離Ｌだけ離して固定し、カメラＣの画角を変更することによって表示物３０２のスケーリングを行う。具体的には、表示物３０２を拡大する場合、カメラＣの画角を狭め、表示物３０２を縮小する場合、カメラＣの画角を広げる。画角変更方式の場合、例えば、望遠レンズを用いて拡大、または広角レンズを用いて縮小したような効果を得ることができる。また、画角変更方式の場合、カメラ距離変更方式に比べて、透視変換による表示物３０２の歪みを減少することができる。
【０１３２】
図１４（Ｂ）に示すカメラ距離変更方式は、表示物３０２が表示される表示領域２１１の正面に仮想的なカメラＣを配置し、表示領域２１１とカメラＣとの距離Ｌを変更することによって表示物３０２のスケーリングを行う。具体的には、表示物３０２を拡大する場合、カメラＣを表示領域２１１に近づけ距離Ｌを短くし、表示物３０２を縮小する場合、カメラＣを表示領域２１１から離して距離Ｌを長くする。カメラ距離変更方式の場合、例えば、実際に表示物３０２に近づいたり、離れたりして見たような効果を得ることができる。また、カメラ距離変更方式の場合、画角変更方式に比べて、透視変換による表示物３０２の歪みは大きくなるが、表示物３０２が厚みを有する立体物である場合、その歪みによって立体感を増して表現することができる。
【０１３３】
＜第１ディスプレイ２１の画面サイズに応じて決定される表示領域２１１の最大値における表示物３０２の表示＞
以上の説明では、ユーザからの操作に応じて第１ディスプレイ２１における表示領域２１１のサイズが動的に変更された場合における、表示領域２１１に設けられた配置領域３０１上の表示物３０２の表示変化について説明した。
【０１３４】
ただし、例えば、第１ディスプレイ２１の画面サイズが小さい場合、その表示画面を複数に分割して複数の表示領域２１１を設けているときはもちろん、表示画面を分割せずに１つの表示領域２１１を設けているときであっても、表示物３０２の視認性や操作性が低下してしまうことがある。
【０１３５】
そこで、第１ディスプレイ２１の画面サイズに応じて決まる表示領域２１１の最大値（以下、最大表示領域２１１Ｍと称する）における表示物３０２の表示を制御するようにする。
【０１３６】
図１５は、画面サイズが異なる第１ディスプレイ２１上の最大表示領域２１１Ｍにおける表示物３０２の表示例を示しており、同図の上段は大画面（例えば１５インチ）の場合、同図の中段は中画面（例えば１３インチ）の場合、同図の下段は小画面（例えば１０インチ）の場合を示している。
【０１３７】
図１５の場合、最大表示領域２１１ＭＬ，２１１ＭＭ，２１１ＭＳには、配置領域３０１ａ及び配置領域３０１ｂが設けられており、配置領域３０１ａ上には優先度が異なる７つの表示物３０２１ａ〜３０２７ａが配置され、配置領域３０１ｂ上には優先度が異なる３つの表示物３０２１ｂ〜３０２３ｂが配置されている。なお、配置領域３０１ｂ上の表示物３０２２ｂには元詰め、表示物３０２３ｂには中詰め、表示物３０２１ｂには先詰めの属性情報が設定されている。
【０１３８】
図１５の上段に示す大画面の場合、最大表示領域２１１ＭＬには、配置領域３０１ａ及び配置領域３０１ｂの方向軸長が十分に長いので、それぞれに配置されている全ての表示物３０２が表示される。
【０１３９】
図１５の中段に示す中画面の場合、最大表示領域２１１ＭＭでは、図１５の上段に示された大画面の場合に比べて配置領域３０１ａの方向軸長が短くなって７つの表示物３０２１ａ〜３０２７ａを表示しきれないので、優先度が低い方の２つの表示物３０２１ａ，３０２２ａが淘汰され、残りの５つの表示物３０２３ａ〜３０２７ａが表示される。また、配置領域３０１ｂ上の３つの表示物３０２１ｂ〜３０２３ｂは、その間隔が詰めて表示される。
【０１４０】
図１５の下段に示す小画面の場合、最大表示領域２１１ＭＳには、図１５の中段に示された中画面の場合に比べて配置領域３０１ａ上の方向軸長がさらに短くなって、７つの表示物３０２１ａ〜３０２７ａを表示しきれないので、優先度が低い方の４つの表示物３０２１ａ〜３０２４ａが淘汰され、残りの３つの表示物３０２５ａ〜３０２７ａが表示される。また、配置領域３０１ｂ上の３つの表示物３０２１ｂ〜３０２３ｂのうち、優先度が低い方の２つの表示物３０２１ｂ，３０２２ｂが淘汰され、残った表示物３０２３ｂが表示される。
【０１４１】
図１５に示された表示例では、第１ディスプレイ２１の画面サイズが異なる場合、表示物３０２を優先度に応じて淘汰しつつ、表示物３０２のサイズとレイアウトを変更することなく表示できるので、第１ディスプレイ２１における操作性を維持することができる。
【０１４２】
なお、図１５の下段に示す小画面の場合の変形例として、優先度が低い方から順に表示物３０２１ｂ，３０２２ｂを淘汰する代わりに、優先度が低い方から順に表示物３０２の横幅を短縮するようにしてもよい。
【０１４３】
次に、図１６は、画面サイズが異なる第１ディスプレイ２１上の最大表示領域２１１Ｍにおける表示物３０２の他の表示例を示しており、同図の上段は大画面（例えば１５インチ）の場合、同図の中段は中画面（例えば１３インチ）の場合、同図の下段は小画面（例えば１０インチ）の場合を示している。
【０１４４】
図１６の場合、最大表示領域２１１ＭＬ，２１１ＭＭ，２１１ＭＳには、配置領域３０１ａ及び配置領域３０１ｂが設けられており、配置領域３０１ａ上には同一の優先度が設定された３つの表示物３０２１ａ〜３０２３ａが配置され、配置領域３０１ｂ上には同一の優先度が設定された３つの表示物３０２１ｂ〜３０２３ｂが配置されている。なお、表示物３０２２ａ，３０２２ｂには元詰め、表示物３０２３ａ，３０２３ｂには中詰め、表示物３０２１ａ，３０２１ｂには先詰めの属性情報が設定されている。さらに、表示物３０２３ｂには、属性情報としての領域依存縮小が設定されている。
【０１４５】
図１６の上段に示す大画面の場合、最大表示領域２１１ＭＬには、配置領域３０１ａ及び配置領域３０１ｂの方向軸長が十分に長いので、それぞれに配置されている全ての表示物３０２が表示される。
【０１４６】
図１６の中段に示す中画面の場合、最大表示領域２１１ＭＭには、配置領域３０１ａ及び配置領域３０１ｂに配置されている全ての表示物３０２を表示される。ただし、図１６の上段に示された大画面の場合に比べて配置領域３０１ａ及び配置領域３０１ｂの方向軸長が短縮されているので、配置領域３０１ａ上の３つの表示物３０２１ａ〜３０２３ａ、及び、配置領域３０１ｂ上の３つの表示物３０２１ｂ〜３０２３ｂそれぞれの間隔が詰めて表示される。
【０１４７】
図１６の下段に示す小画面の場合、最大表示領域２１１ＭＳには、配置領域３０１ａ及び配置領域３０１ｂに配置されている全ての表示物３０２を表示される。ただし、図１６の中段に示された中画面の場合に比べて配置領域３０１ａ及び配置領域３０１ｂの方向軸長がさらに短縮されているので、配置領域３０１ａ上の３つの表示物３０２１ａ〜３０２３ａの間隔がさらに詰めて表示される。また、配置領域３０１ｂ上の３つの表示物３０２１ｂ〜３０２３ｂについては、サイズを変えなければ間隔を詰めても重なることなく表示できないので、属性情報としての領域依存縮小が設定されている表示物３０２３ｂの横幅が短縮され、表示物３０２１ｂ，３０２２ｂのサイズは変更なく表示される。
【０１４８】
図１６に示された表示例では、第１ディスプレイ２１の画面サイズが異なる場合、表示物３０２を淘汰することなく、表示物３０２のサイズとレイアウトを変更しないで表示できるので、第１ディスプレイ２１における操作性を維持することができる。
【０１４９】
＜車載装置１０による表示制御処理＞
次に、第１ディスプレイ２１の画面サイズの違いと、属性情報としての状況スケーリングが設定されている表示物３０２の状況に応じた表示変更とを加味した表示制御処理について説明する。
【０１５０】
図１７は、車載装置１０による該表示制御処理の一例を説明するフローチャートである。
【０１５１】
該表示制御処理は、車載装置１０の起動後に開始され、車載装置１０の動作が終了されるまで継続して実行される。
【０１５２】
はじめに、表示領域設定部１２３が、第１ディスプレイ２１の画面サイズを取得し、画面サイズに応じて最大表示領域２１１Ｍを特定する（ステップＳ１）。なお、第１ディスプレイ２１の画面サイズは、第１ディスプレイ２１から直接取得してもよいし、記憶部１３０に格納されているハードウェア情報を参照してもよい。
【０１５３】
次に、状況判定部１２７が、運転環境情報５０１、及び個人適応情報５０２に基づき、車両や運転者（ユーザ）の状況に応じて表示物のスケーリングを行うか否かを判定し、スケーリングを行う場合の表示物３０２のサイズを決定する（ステップＳ２）。
【０１５４】
次に、表示領域設定部１２３が、ステップＳ１で特定された第１ディスプレイ２１に設ける最大表示領域２１１Ｍと、ステップＳ２で決定された表示物３０２との相関に基づいて表示領域２１１のサイズを仮決定する（ステップＳ３）。
【０１５５】
次に、表示制御部１２４が、ステップＳ３で決定された表示領域２１１のサイズを実現できるように、画角変更方式及びカメラ距離変更方式の少なくとも一方を用いて、仮想的なカメラＣ（図１４）の画角、及びカメラＣと表示物３０２との距離Ｌを決定する（ステップＳ４）。
【０１５６】
次に、表示領域設定部１２３が、ステップＳ４で決定されたカメラＣの画角、及びカメラＣと表示物３０２との距離Ｌに従い、仮決定されている表示領域２１１を適宜補正して、表示領域２１１のサイズを確定する（ステップＳ５）。
【０１５７】
次に、表示制御部１２４が、表示物３０２に対して設定されている優先度等の属性情報に基づき、表示領域２１１における表示物３０２の表示位置を決定する（ステップＳ６）。次に、表示制御部１２４が、第１ディスプレイ２１に、表示物３０２が配置されている表示領域２１１を表示させるための画面データを生成する（ステップＳ７）。
【０１５８】
最後に、表示制御部１２４が、生成した画面データを第１ディスプレイ２１に出力する（ステップＳ８）。これにより、第１ディスプレイ２１には、状況に応じて表示物３０２がスケーリングされた表示領域２１１が表示される。この後、処理はステップＳ３に戻って、ステップＳ３〜Ｓ８が繰り返される。
【０１５９】
以上に説明した表示制御処理によれば、表示領域２１１における表示物３０２のサイズを状況に応じて動的に変更することができる。したがって、ユーザにとって視認性及び操作性が良い画面表示を実現することができる。
【０１６０】
なお、以上に説明した車載装置１０による表示制御処理は、第１ディスプレイ２１のアスペクト比や解像度に依存することなく実行できる。
【０１６１】
＜状況の変化に応じた配置領域３０１の変形＞
次に、状況の変化に応じた配置領域３０１の変形について説明する。
【０１６２】
上述したように、配置領域３０１は、表示領域２１１のサイズが変更された場合、その方向軸の方向と幅を維持したまま、方向軸長と位置が変更されるとした。
【０１６３】
さらに、配置領域３０１は、状況の変化に応じて変形させてもよい。具体的には、表示画面の座標系と平行であって、表示画面の座標系とは独立している配置領域３０１の２次元の座標系において変形させてもよいし、表示画面の座標系とは独立している配置領域３０１の３次元以上の座標系において変形させてもよい。
【０１６４】
図１８は、第２ディスプレイ２２の表示領域２２１に設けた配置領域３０１の状況の変化に応じた変形例の変形前の状態を示している。図１９〜図２２は、第２ディスプレイ２２の表示領域２２１に設けた配置領域３０１の状況の変化に応じた変形例の変形後の状態を示している。
【０１６５】
なお、配置領域３０１に対しては、図示する仮想的な３次元のｘｙｚ座標系を想定する。そして、第２ディスプレイ２２の表示領域２２１には、仮想的な３次元のｘｙｚ座標系を有する配置領域３０１が、２次元のｘｙ座標系を有する表示領域２２１に透視変換された状態が表示される。
【０１６６】
図１８に示されるように、配置領域３０１は、変形前においては表示画面（ｘｙ平面）に平行な状態である。そして状況が変化した場合、図１９に示される変形例では、配置領域３０１の中央に配置された表示物３０２２の情報量を増やすために表示物３０２２の横幅が拡大され、拡大された表示物３０２２以外の表示物３０２１，３０２３が配置されている配置領域３０１の両端は、表示画面（ｘｙ平面）に直交する方向（＋ｚ方向）に折り曲げられた状態となる。そして、配置領域３０１の折り曲げられた部分に配置されている表示物３０２１，３０２３は、斜めから見た形状で表示領域２２１に表示される。一方、配置領域３０１の折り曲げられていない部分に配置されている表示物３０２２は、正面から見た形状のまま、横方向（ｙ方向）に拡大されて表示領域２２１に表示される。
【０１６７】
この結果、配置領域３０１の両端に配置されている表示物３０２１，３０２３については視認性が低下してしまうが、配置領域３０１の中央に配置されている表示物３０２２については情報量を増加させたり視認性を向上させたりすることができる。
【０１６８】
なお、配置領域３０１を変形させる状況の変化とは、例えば、運転者自身による運転から自動運転への切り替えを挙げることができる。この場合、自動運転時に視認性を低下させる表示物３０２１，３０２３としては、例えばスピードメータ、タコメータが想定される。また、自動運転時に情報量が増す表示物３０２２としては、ニュース情報、ナビゲーション情報、目的地の観光情報等の各種の情報を表示する情報表示ウィンドウが考えられる。
【０１６９】
ただし、配置領域３０１を変形させる状況の変化は、自動運転への切り替えだけに限らない。例えば、走行速度の変化に応じて配置領域３０１を変形させてもよい。
【０１７０】
また、配置領域３０１の変形例は、図１９に示された例に限らない。例えば、配置領域３０１の両端のうちの一方だけを折り曲げてもよい。また例えば、配置領域３０１の端を−ｚ方向に折り曲げてもよい。
【０１７１】
さらに、図２０に示されるように、配置領域３０１の端を、＋ｚ方向または−ｚ方向に９０度近くまで折り曲げて、表示物３０２１，３０２３の側面が見えるようにしてもよい。そして、表示物３０２１，３０２３の側面には、それぞれの正面に表示されている情報と実質的に同じ情報を異なる形態で表示するようにしてもよい。例えば、表示物３０２１，３０２３がスピードメータ、タコメータである場合、それぞれの正面には、速度等を回転する針が指し示すアナログメータを表示し、それぞれの側面には、速度等を数値や棒グラフ等で表すデジタルメータを表示するようにしてもよい。なお、表示物３０２１，３０２３にｚ方向の厚みを設けず、実質的に表示物３０２１，３０２３が見えなくなるようにしてもよい。
【０１７２】
またさらに、配置領域３０１をｚ方向に奥行きを持たせて折り畳むように変形してもよい。図２１は、配置領域３０１をｚ方向に奥行きを持たせたＺ字状に折り曲げた変形例である。この場合、表示物３０２１〜３０２３は、ｚ方向に重なった状態で表示領域２２１に表示される。
【０１７３】
この結果、表示物３０２２，３０２３については、部分的に隠れてしまうものの、表示物３０２１〜３０２３を元のサイズで表示することができる。なお、変形後の配置領域３０１を表す３本の直線が平行となるように変形してもよい。
【０１７４】
次に、図２２は、配置領域３０１を、表示領域２２１と平行なｘｙ面にてコ字状に折り曲げた変形例である。この場合、１列に表示されてた表示物３０２１〜３０２３が、２列に分かれて表示される。
【０１７５】
さらに、状況の変化に応じた配置領域３０１の変形は、第２ディスプレイ２２の表示領域２２１においてだけでなく、第１ディスプレイ２１の表示領域２１１において行ってもよい。
【０１７６】
またさらに、図１９に示された配置領域３０１の変形を、図１２の表示例に適用し、図１２の下段の変形例として、表示物３０２１ｂ〜３０２３ｂのサイズを拡大した結果、表示物３０２１ｂ〜３０２３ｂどうしの間隔が所定の閾値未満になった場合、優先度が低い方から順に前記表示物が斜めから見た形状に表示されるように配置領域３０１ｂを折り曲げるようにしてもよい。すなわち、配置領域３０１ｂ上の優先度が低い方の２つの表示物３０２１ｂ，３０２２ｂを淘汰する代わりに、配置領域３０１ｂの両端を折り曲げて表示物３０２１ｂ，３０２２ｂを斜めから見た形状で表示し、大サイズに拡大された表示物３０２３ｂを正面から見た形状で表示するようにしてもよい。
【０１７７】
なお、上述した実施形態は、横長の配置領域３０１に配置されている複数の表示物３０２の表示の変更について説明したが、縦長の配置領域３０１に配置されている複数の表示物３０２についても同様に、その表示を変更することが可能である。
【０１７８】
ところで、本発明は、本実施形態のようにディスプレイ（第１ディスプレイ２１及び第２ディスプレイ２２）に画面を表示させる場合だけでなく、例えば、プロジェクタによって画面をスクリーン投影する場合にも適用することが可能である。
【０１７９】
本明細書に記載された効果はあくまで例示であって限定されるものではなく、他の効果があってもよい。
【０１８０】
本発明は、上記した実施形態に限定されるものではなく、様々な変形例が含まれる。例えば、上記した実施形態は、本発明を分かりやすく説明するために詳細に説明したものであり、本発明が、必ずしも説明した全ての構成要素を備えるものに限定されるものではない。また、ある実施形態の構成の一部を、他の実施形態の構成に置き換えることが可能であり、ある実施形態の構成に、他の実施形態の構成を加えることも可能である。また、各実施形態の構成の一部について、他の構成の追加・削除・置換をすることが可能である。
【０１８１】
また、上記の各構成、機能、処理部、処理手段等は、それらの一部または全部を、例えば集積回路で設計する等によりハードウェアで実現してもよい。また、上記の各構成、機能等は、プロセッサがそれぞれの機能を実現するプログラムを解釈し、実行することによりソフトウェアで実現されてもよい。各機能を実現するプログラム、判定テーブル、ファイル等の情報は、メモリや、ＨＤＤ、ＳＳＤ等の記憶装置、または、ＩＣカード、ＳＤカード、ＤＶＤ等の記録媒体に置くことができる。また、制御線や情報線は説明上必要と考えられるものを示しており、製品上必ずしも全ての制御線や情報線を示しているとは限らない。実際には殆ど全ての構成が相互に接続されていると考えてもよい。
【０１８２】
本発明は、表示制御装置、及び表示制御方法だけでなく、コンピュータ読み取り可能なプログラム等の様々な態様で提供することができる。
【符号の説明】
【０１８３】
１０・・・車載装置、１１・・・演算処理装置、２１・・・第１ディスプレイ、２２・・・第２ディスプレイ、２３・・・記憶装置、２４・・・音声入出力装置、２５・・・入力装置、２６・・・ＲＯＭ装置、２７・・・車速センサ、２８・・・ジャイロセンサ、２９・・・衛星測位装置、３０・・・ＦＭ多重放送受信装置、３１・・・ビーコン受信装置、１１５・・・バス、１２０・・・制御部、１２１・・・入力受付部、１２２・・・操作検知部、１２３・・・表示領域設定部、１２４・・・表示制御部、１２５・・・優先度設定部、１２６・・・機能処理部、１２７・・・状況判定部、１３０・・・記憶部、１３１・・・地図情報、１３２・・・表示領域情報、１３３・・・配置領域情報、１３４・・・表示物情報、２１１・・・表示領域、２１１Ｍ・・・最大表示領域、２１２・・・ポインタ、２２１・・・表示領域、２４１・・・マイクロフォン、２４２・・・スピーカ、２５１・・・タッチパネル、２５２・・・ダイヤルスイッチ、３０１・・・配置領域、３０２・・・表示物、５０１・・・運転環境情報、５０２・・・個人適応情報、２１１１・・・第１表示領域、２１１２・・・第２表示領域、２１１３・・・第３表示領域
【図１】
2020173685.tif 000003
【図２】
2020173685.tif 000004
【図３】
2020173685.tif 000005
【図４】
2020173685.tif 000006
【図５】
2020173685.tif 000007
【図６】
2020173685.tif 000008
【図７】
2020173685.tif 000009
【図８】
2020173685.tif 000010
【図９】
2020173685.tif 000011
【図１０】
2020173685.tif 000012
【図１１】
2020173685.tif 000013
【図１２】
2020173685.tif 000014
【図１３】
2020173685.tif 000015
【図１４】
2020173685.tif 000016
【図１５】
2020173685.tif 000017
【図１６】
2020173685.tif 000018
【図１７】
2020173685.tif 000019
【図１８】
2020173685.tif 000020
【図１９】
2020173685.tif 000021
【図２０】
2020173685.tif 000022
【図２１】
2020173685.tif 000023
【図２２】
2020173685.tif 000024